(57)【要約】【課題】火災を迅速に判定することが可能な感知器を提供すること。【解決手段】感知器１００は、検出対象である煙が流入する検出空間４と、検出空間４に流入した検出対象である煙を検出する検出手段である発光部７２及び受光部７３と、検出手段である発光部７２及び受光部７３と検出空間４とを収容する筐体３と、筐体３の内部に設けられているものであって、検出対象である煙の検出空間４への流入を促進するべく、筐体３の外部から筐体３の内部の検出空間４に向かう気流を発生する気流発生手段と、を備え、気流発生手段は、気流を発生するためのポンプを備え、また、気流発生手段は、気流を発生するために筐体３の内部を冷却する冷却体８を備える。【選択図】図４
2020177441.tif 000002
【特許請求の範囲】
【請求項１】
検出対象が流入する検出空間と、
前記検出空間に流入した前記検出対象を検出する検出手段と、
前記検出手段及び前記検出空間を収容する収容手段と、
前記収容手段の内部に設けられているものであって、前記検出対象の前記検出空間への流入を促進するべく、前記収容手段の外部から前記収容手段の内部の前記検出空間に向かう気流を発生する気流発生手段と、
を備える感知器。
【請求項２】
前記気流発生手段は、前記気流を発生するためのポンプを備える、
請求項１に記載の感知器。
【請求項３】
前記気流発生手段は、前記気流を発生するために前記収容手段の内部を冷却する冷却体を備える、
請求項１又は２に記載の感知器。
【発明の詳細な説明】
【技術分野】
【０００１】
本発明は、感知器に関する。
【背景技術】
【０００２】
従来、煙が流入するチャンバと、チャンバを遮光するためにチャンバの周囲に設けられているラビリンスとを備える火災感知器が知られていた（例えば、特許文献１参照）。この火災感知器は、チャンバに流入した気体であって、火源で発生した煙を含む気体中の煙の濃度を検出することにより、火災を判定していた。
【先行技術文献】
【特許文献】
【０００３】
【特許文献１】特開２０１１−２４８５４７号公報
【発明の概要】
【発明が解決しようとする課題】
【０００４】
ところで、一般的に、火源の種類又は位置等に応じて、煙を含む気体の移動速度が変動することがあるので、比較的遅い流速の気流が火災感知器に到達する場合があった。この場合、火災感知器に到達した気体の勢いが不足しているために、チャンバ内への気体の流入が例えばラビリンス等に阻害されてしまい、チャンバ内への気体の流入が遅れてしまい、火災を迅速に判定することが困難となる可能性があった。
【０００５】
本発明は上記問題に鑑みてなされたもので、火災を迅速に判定することが可能な感知器を提供することを目的とする。
【課題を解決するための手段】
【０００６】
上述した課題を解決し、目的を達成するために、請求項１に記載の感知器は、検出対象が流入する検出空間と、前記検出空間に流入した前記検出対象を検出する検出手段と、前記検出手段及び前記検出空間を収容する収容手段と、前記収容手段の内部に設けられているものであって、前記検出対象の前記検出空間への流入を促進するべく、前記収容手段の外部から前記収容手段の内部の前記検出空間に向かう気流を発生する気流発生手段と、を備える。
【０００７】
また、請求項２に記載の感知器は、請求項１に記載の感知器において、前記気流発生手段は、前記気流を発生するためのポンプを備える。
【０００８】
また、請求項３に記載の感知器は、請求項１又は２に記載の感知器において、前記気流発生手段は、前記気流を発生するために前記収容手段の内部を冷却する冷却体を備える。
【発明の効果】
【０００９】
請求項１に記載の感知器によれば、収容手段の外部から収容手段の内部の検出空間に向かう気流を発生することにより、例えば、検出空間への検出対象の流入を促進することができるので、火災を迅速に判定することが可能な感知器を提供することができる。
【００１０】
請求項２に記載の感知器によれば、気流を発生するためのポンプを備えることにより、例えば、収容手段の外部から収容手段の内部の検出空間に向かう気流を確実に発生させることができる。また、例えば、羽根を回転させて空気を送るファンであって、羽根の回転開始時に比較的大量の電力を消費するファンとは異なり、比較的少量の電力にてポンプを起動することが可能であるので、感知器の消費電力を低減することができる。
【００１１】
請求項３に記載の感知器によれば、気流を発生するために冷却する冷却体を備えることにより、収容手段の外部から収容手段の内部の検出空間に向かう気流を確実に発生させることができる。また、例えば、羽根を回転させて空気を送るファンであって、羽根の回転開始時に比較的大量の電力を消費するファンとは異なり、比較的少量の電力にて冷却体による冷却を開始することが可能であるので、感知器の消費電力を低減することができる。また、気流発生のために駆動系（例えば、ファンにおける羽根等）が不要となるので、静音性に優れた感知器を提供することが可能となる。
【図面の簡単な説明】
【００１２】
【図１】実施の形態１に係る感知器の斜視図である。
【図２】感知器の底面図である。
【図３】感知器の側面図である。
【図４】図２のＡ―Ａ矢視断面図である。
【図５】図４において気流を例示した図である。
【図６】実施の形態２に係る感知器の断面図である。
【図７】図６において気流を例示した図である。
【発明を実施するための形態】
【００１３】
以下に、本発明に係る感知器の実施の形態を図面に基づいて詳細に説明する。なお、この実施の形態によりこの発明が限定されるものではない。
【００１４】
〔実施の形態の基本的概念〕
まずは、実施の形態の基本的概念について説明する。実施の形態は、概略的に、検出空間と、検出手段と、収容手段と、気流発生手段とを備える感知器に関するものである。
【００１５】
ここで、「感知器」とは、監視領域の異常を判定する機器であり、具体的には、設置対象物の設置面に取り付けられる機器であって、設置面と対向する取付面を有する機器であり、例えば、監視領域の検出対象を検出することにより、火災、ガス漏れ等の異常を判定する機器である。この「感知器」は、例えば、煙感知器、熱感知器、火災感知器、及びガス漏れ感知器等を含む概念である。また、「監視領域」とは、感知器による監視の対象となっている領域であり、具体的には、一定の広がりを持った空間であって、屋内あるいは屋外の空間であって、例えば、建物の廊下、階段、又は部屋等の空間を含む概念である。また、「設置面」とは、感知器が設置される設置対象物の面であって、例えば、天井における監視領域側の面（つまり、天井の下面）、壁における監視領域側の面（つまり、壁の室内側面）等が挙げられる。また、「取付面」とは、感知器に設けられている面であって、具体的には、設置面と対向した状態で当該設置面に取り付けられる面である。また、「検出対象」とは、感知器による検出の対象であり、具体的には、監視領域の異常に関連するものであり、例えば、煙、熱、炎、及び一酸化炭素等の有毒ガス等を含む概念である。
【００１６】
また、「検出空間」とは、検出対象が流入する空間であり、煙感知器又は火災感知器においては例えば、感知器の外部から遮光されている空間である。また、「検出手段」とは、検出空間に流入した検出対象を検出する手段であり、例えば、発光手段と受光手段とを備える手段である。「発光手段」とは、検出光を発光する手段であり、例えば、発光ダイオード等を含む概念である。「受光手段」とは、発光手段から発光された検出光に基づく光を受光する手段であり、例えば、フォトダイオード等を含む概念である。「発光手段から発光された検出光に基づく光」とは、発光手段から発光された検出光が検出空間に流入した検出対象により散乱されることで生じる光である散乱光、又は、発光手段から発光された検出光が検出空間内で反射されることで生じる反射光等を含む概念である。
【００１７】
また、「収容手段」とは、少なくとも、検出手段及び検出空間を収容するものであり、例えば、感知器の外形を構成するものである。
【００１８】
また、「気流発生手段」とは、収容手段の内部に設けられているものであって、検出対象の検出空間への流入を促進するべく、収容手段の外部から収容手段の内部の検出空間に向かう気流を発生するものであり、例えば、収容手段の外部から収容手段の内部の検出空間に向かう気流を発生するためのポンプ、及び、収容手段の外部から収容手段の内部の検出空間に向かう気流を発生するために収容手段の内部を冷却する冷却体を含む概念である。
【００１９】
以下に示す実施の形態１、２では、「感知器」が「火災感知器」であり、「監視領域」が「建物の部屋」であり、「検出対象」が「煙（具体的には、煙の粒子）」である場合について説明する。そして、実施の形態１では、「気流発生手段」が「冷却体」である場合について説明し、実施の形態２では、「気流発生手段」が「ポンプ」である場合について説明する。
【００２０】
（実施の形態１）
初めに、実施の形態１について説明する。この実施の形態においては、「気流発生手段」が「冷却体」である場合について説明する。
【００２１】
（構成）
まず、本実施の形態に係る感知器の構成について説明する。図１は、本実施の形態に係る感知器の斜視図であり、図２は、感知器の底面図であり、図３は、感知器の側面図であり、図４は、図２のＡ―Ａ矢視断面図である。なお、説明の便宜上、図３及び図４については、図１のリブ３３が省略されており、また、不図示の防災受信機からの電力の供給をうけるための電源線、及び、当該防災受信機に対して火災を報知するための信号である火災信号を送信するための通信線が省略されている（後述する図５、図６及び図７についても同様とする）。また、以下の説明では、各図に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向、あるいは、取付面１１と略直交する方向と称し、＋Ｚ方向を上側（平面、あるいは、筐体３における取付面１１側）と称し、−Ｚ方向を下側（底面、あるいは、筐体３における取付面１１の反対側）と称して説明する。また、以下の「Ｘ―Ｙ―Ｚ方向」に関する用語については、図示の感知器１００において、各構成品の相対的な位置関係（又は、方向）等を説明するための便宜的な表現であることとし、図４の検出空間４の中心位置を基準として、ＸＹ平面に沿って検出空間４から離れる方向を「外側又は端側」と称し、検出空間４に近づく方向を「内側又は中央側」と称して、以下説明する。
【００２２】
これら各図に示す感知器１００は、監視領域の煙を検出することにより、火災を判定する機器であり、具体的には、図４に示すように、監視領域の天井面である設置面９００に取り付けて用いられるものであり、例えば、取付ベース１、裏板２、筐体３、検出空間４、支持部５、防虫網６、回路部７、及び冷却体８を備える。
【００２３】
（構成−取付ベース）
取付ベース１は、設置面９００に対して、裏板２及び筐体３を取り付けるための取付手段である。この取付ベース１の具体的な種類や構成は任意であるが、例えば、設置面９００と対向する面である取付面１１を備えているものであって、裏板２と設置面９００との間において、裏板２及び設置面９００に対して公知の固定手段（例えば、ねじあるいは嵌合構造等）によって固定されているものである。
【００２４】
（構成−裏板）
裏板２は、煙を含む気体（以下、単に「気体」）を誘導する誘導手段であり、例えば、筐体３との間に外部流出側流路Ｆ１を形成するものである。ここで、「外部流出側流路」Ｆ１とは、気体を誘導する誘導手段であり、具体的には、検出空間４の気体を感知器１００の外部に流出させるための流路である。この裏板２の具体的な種類や構成は任意であるが、例えば、筐体３と同径の円盤形状を呈しているものであり、スペーサ２１を挟んで筐体３に対して公知の固定手段（例えば、ねじあるいは接着剤等）によって固定されており、また、取付ベース１に対して公知の固定手段（例えば、ねじあるいは嵌合構造等）によって固定されているものである。
【００２５】
（構成−筐体）
筐体３は、検出空間４、支持部５、防虫網６、回路部７、及び冷却体８（以下、「検出空間４、支持部５、防虫網６、回路部７、及び冷却体８」を「収容対象」とも称する）を収容する収容手段である。筐体３の具体的な種類や構成は任意であるが、例えば、本体部３１、遮光部３２、及び図１のリブ３３を備えているものである。
【００２６】
（構成−筐体−本体部）
図４の本体部３１は、収容対象を収容するものであり、例えば、高さ方向（Ｚ方向）における上側（＋Ｚ方向）に設けられている円筒状部分であって裏板２と同径の円筒状部分と、この円筒状部分から下側（−Ｚ方向）に向かうにつれて小径となっているテーパ状部分とによって形成されているものである。また、本体部３１は、筐体側流入開口３１１、筐体側流出開口３１２、及び傾斜面３１３を備えているものである。筐体側流入開口３１１は、気体を誘導する誘導手段であり、具体的には、感知器１００の外部の気体を検出空間４に流入させるためのものであり、例えば、本体部３１の下側（−Ｚ方向）の面の、ＸＹ平面に平行な方向における中心に設けられているものである。筐体側流出開口３１２は、検出空間４の気体を誘導する誘導手段であり、検出空間４の気体を感知器１００の外部に流出させるためのものであり、例えば、本体部３１の上側（−Ｚ方向）の面の、ＸＹ平面に平行な方向における中心に設けられているものである。傾斜面３１３は、気体を誘導する誘導手段であり、具体的には、感知器１００の外部の気体を検出空間４に流入させるためのものであり、例えば、本体部３１のテーパ状部分に設けられているものである。
【００２７】
（構成−筐体−遮光部）
遮光部３２は、検出空間４の外側からの光を遮光する遮光手段であり、また、気体を誘導する誘導手段であり、誘導手段としては例えば、筐体３との間に流入側流路Ｆ２を形成するものである。ここで、「流入側流路」Ｆ２とは、気体を誘導する誘導手段であり、具体的には、感知器１００の外部の気体を検出空間４に流入させるための流路である。この遮光部３２は、例えば、本体部３１における円筒状部分より小径であり、且つ、当該本体部３１のテーパ状部分における下側（−Ｚ方向）の端部よりも僅かに大径となっている円盤形状を呈しているものであって、図１のリブ３３を介して本体部３１に固定されているものであり、図４の対向面３２１を備えているものである。ここで、「対向面」３２１は、気体を誘導する誘導手段であり、具体的には、感知器１００の外部の気体を検出空間４に流入させるためのものであって、例えば、ＸＹ平面に平行な方向において遮光部３２の端側から中央側に向かうにつれて、上側（＋Ｚ方向）に向かって隆起しているものである。このように、対向面３２１を有する遮光部３２が設けられているので、感知器１００においては、従来の不図示のラビリンスを省略することができ、検出空間４への気体の流入特性を向上させることが可能となっている。
【００２８】
（構成−筐体−リブ）
図１のリブ３３は、筐体３全体の強度を補強する補強手段であり、また、気体を誘導する誘導手段であり、誘導手段としては具体的には、感知器１００の外部の気体を検出空間４に流入させるためのものである。リブ３３は、筐体側流入開口３１１を基準に放射状に設けられている平板形状を呈しているものであり、複数設けられているものである。
【００２９】
（構成−検出空間）
図４の検出空間４は、気体が流入する空間である。検出空間４の具体的な種類や構成は任意であるが、例えば、取付面１１に沿う方向（ＸＹ平面に平行な方向）において、筐体３の略中央側に設けられている空間であり、筐体３の一部、後述する素子支持部５２、及び後述する回路基板７１によって取り囲まれている空間である。なお、「取付面１１に沿う方向（ＸＹ平面に平行な方向）において、筐体３の略中央側」とは、筐体３の内部の位置であり、具体的には、取付面１１に沿う方向における筐体３の中心を基準に、取付面１１に沿う方向における所定半径（例えば、取付面１１に沿う方向における筐体３の幅の６分の１〜８分の１等）以内の位置に対応する概念である。
【００３０】
（構成−支持部）
支持部５は、回路部７を支持する支持手段である。支持部５の具体的な種類や構成は任意であるが、例えば、基板支持部５１、及び素子支持部５２を備えているものである。
【００３１】
（構成−支持部−基板支持部）
基板支持部５１は、筐体３に対して後述する回路基板７１を支持する支持手段であり、また、気体を誘導する誘導手段であり、誘導手段としては具体的には、内部流出側流路Ｆ３を形成するものである。ここで、「内部流出側流路」Ｆ３とは、気体を誘導する誘導手段であり、具体的には、検出空間４の気体を感知器１００の外部に流出させるための流路である。この基板支持部５１は、例えば、後述する基板側流出開口７１１よりも大径である内径を有する円筒形状を呈しているものであり、本体部３１の上側（＋Ｚ方向）の面と後述する回路基板７１との間において、本体部３１の上側（＋Ｚ方向）の面及び回路基板７１に対して公知の固定手段（例えば、ねじあるいは接着剤等）によって固定されているものである。
【００３２】
（構成−支持部−素子支持部）
素子支持部５２は、筐体３に対して後述する発光部７２及び受光部７３を支持する支持手段であり、また、検出空間４を区画する区画手段であり、また、気体を誘導する誘導手段である。この素子支持部５２は、例えば、筐体側流入開口３１１及び後述する基板側流出開口７１１よりも大径である内径を有する円筒形状を呈しているものであり、発光部７２及び受光部７３が装着されているものであって、本体部３１の下側（−Ｚ方向）の面と後述する回路基板７１との間において、本体部３１の下側（−Ｚ方向）の面及び回路基板７１に対して公知の固定手段（例えば、ねじあるいは接着剤等）によって固定されているものである。
【００３３】
（構成−防虫網）
防虫網６は、検出空間４に虫が進入するのを防止する防虫手段であり、また、検出空間４に対して気体を流入させる流入手段である。防虫網６の具体的な種類や構成は任意であるが、例えば、流入側防虫網６１、及び流出側防虫網６２を備えているものである。
【００３４】
（構成−防虫網−流入側防虫網）
流入側防虫網６１は、検出空間４の外部から内部に、流入側防虫網６１自身の小孔を介して気体が流入するのを許容する一方で、検出空間４に虫が入ることを防止するものであり、例えば、全体としては筐体側流入開口３１１よりも大径のものであり、当該筐体側流入開口３１１を覆うように設けられているものである。
【００３５】
（構成−防虫網−流出側防虫網）
流出側防虫網６２は、内部流出側流路Ｆ３を介して検出空間４の内部から外部に、流出側防虫網６２自身の小孔を介して気体が流出するのを許容する一方で、内部流出側流路Ｆ３を介して検出空間４に虫が入ることを防止するものであり、例えば、全体としては筐体側流出開口３１２よりも大径のものであり、当該筐体側流出開口３１２を覆うように設けられているものである。
【００３６】
（構成−回路部）
回路部７は、検出対象である煙を検出することにより火災を判定するための電気回路を形成する回路手段である。回路部７の具体的な種類や構成は任意であるが、例えば、回路基板７１、発光部７２、及び受光部７３を備えているものである。
【００３７】
（構成−回路部−回路基板）
回路基板７１は、感知器１００の各素子が実装される実装手段であり、例えば、全体としてＸＹ平面に沿ってひろがっており、支持部５によって支持されて固定されているものである。また、回路基板７１は、基板側流出開口７１１を備えているものである。基板側流出開口７１１は、気体を誘導する誘導手段であり、具体的には、検出空間４の気体を、内部流出側流路Ｆ３を介して感知器１００の外部に流出させるためのものであり、例えば、基板支持部５１の内径及び素子支持部５２の内径よりも小径であり、ＸＹ平面に平行な方向における回路基板７１の中心に設けられているものである。
【００３８】
（構成−回路部−発光部）
発光部７２は、検出空間４に流入した煙を検出するための検出手段であり、具体的には、煙を検出するための光である検出光を検出空間４に向かって発光する発光手段である。発光部７２の具体的な種類や構成は任意であるが、例えば、発光ダイオード等を備えるものである。
【００３９】
（構成−回路部−受光部）
受光部７３は、検出空間４に流入した煙を検出するための検出手段であり、具体的には、検出空間４で発生した散乱光を受光する受光手段である。受光部７３の具体的な種類や構成は任意であるが、例えば、フォトダイオード等を備えるものである。
【００４０】
（構成−冷却体）
冷却体８は、気流発生手段であり、具体的には、筐体３の外部から筐体３の内部の検出空間４に向かう気流を発生するために筐体３の内部を冷却するものであり、例えば、筐体３の外部から検出空間４に向かう気流を発生するために検出空間４を冷却するものである。この冷却体８の具体的な種類や構成は任意であるが、例えば、ペリチェ素子（あるいは、ペルチェ素子）を含む任意の冷却手段等を備えるものであり、また、冷却体側流出開口８１１を備えるものであり、また、検出空間４の内部において回路基板７１に対して公知の固定手段（例えば、ねじあるいは接着剤等）によって固定されているものである。冷却体側流出開口８１１は、気体を誘導する誘導手段であり、具体的には、検出空間４の気体を、内部流出側流路Ｆ３を介して感知器１００の外部に流出させるためのものであり、例えば、基板側流出開口７１１の径に対応する径であり、ＸＹ平面に平行な方向における冷却体８の中心に設けられているものである。
【００４１】
（気体の誘導）
次に、このように構成された、感知器１００における気体の誘導について説明する。図５は、図４において気流を例示した図である。なお、この図５の矢印Ａｆ１は、煙を含む気体の流れる方向（つまり、気流の方向）についての、所定の実験又はシミュレーション等の結果に基づく、気流の方向を例示するものである（図７の矢印Ａｆ２も同様とする）。感知器１００は、筐体３の外部のあらゆる方向からの気体を、高さ方向（Ｚ方向）において、下側（−Ｚ方向）から検出空間４に流入させた後に、上側（＋Ｚ方向）から流出させるように誘導することができるが、ここでは、例えば、図５の矢印Ａｆ１に沿って誘導する場合について説明する。また、感知器１００の電源をオンした場合に、冷却体８にも電源が供給されて、冷却体８が検出空間４の冷却を開始するものとして、感知器１００の電源をオンして冷却体８による冷却が開始した後の、気体の誘導について説明する。
【００４２】
監視領域で火災が発生した場合、当該火災に基づく熱気流によって、図５の感知器１００の外部の気体（煙を含む気体）は、矢印Ａｆ１が示すように、設置面９００に沿って（あるいは、設置面９００と平行に）感知器１００に向かって移動した後、流入側流路Ｆ２、筐体側流入開口３１１、及び流入側防虫網６１の小孔を介して、検出空間４に誘導される。詳細には、気体は、筐体３の傾斜面３１３に沿って本体部３１側から遮光部３２側に誘導された後、遮光部３２の対向面３２１及び図１のリブ３３に沿って、図５の検出空間４側に誘導される。特に、この場合、冷却体８が検出空間４を冷却しているので、火災発生前から検出空間４の内部にある気体の温度（以下、内部気体）と、火災発生後に矢印Ａｆ１に沿って誘導される煙を含む気体（以下、誘導気体）の温度との差が増大することになり、例えば高温の気体が上昇し低温の気体が下降するという一般的な気体の性質に基づいて、誘導気体が内部気体に向かう方向の気流が発生し、誘導気体が内部気体を押しのけて下側（−Ｚ方向）から上側（＋Ｚ方向）に向かって移動することになり、つまり、誘導気体の検出空間４への流入が促進されることになる。
【００４３】
この後、検出空間４に誘導された気体は、矢印Ａｆ１に示すように、冷却体側流出開口８１１、基板側流出開口７１１、内部流出側流路Ｆ３、流出側防虫網６２の小孔、筐体側流出開口３１２、外部流出側流路Ｆ１を介して、感知器１００の外部に誘導される。
【００４４】
（火災の判定）
次に、このように構成された、感知器１００における火災の判定について説明する。感知器１００の回路基板７１の不図示の制御部（例えば、ＣＰＵ等）は、公知の手法と同様にして、火災を判定する。すなわち、当該制御部は、発光部７２及び受光部７３を用いて煙の濃度を検出した上で、検出した煙の濃度に基づいて火災を判定する。
【００４５】
（実施の形態１の効果）
このように本実施の形態によれば、筐体３の外部から筐体３の内部の検出空間４に向かう気流を発生することにより、例えば、検出空間４への煙の流入を促進することができるので、火災を迅速に判定することが可能な感知器１００を提供することができる。
【００４６】
また、気流を発生するために冷却する冷却体８を備えることにより、筐体３の外部から筐体３の内部の検出空間４に向かう気流を確実に発生させることができる。また、例えば、羽根を回転させて空気を送るファンであって、羽根の回転開始時に比較的大量の電力を消費するファンとは異なり、比較的少量の電力にて冷却体８による冷却を開始することが可能であるので、感知器１００の消費電力を低減することができる。また、気流発生のために駆動系（例えば、ファンにおける羽根等）が不要となるので、静音性に優れた感知器１００を提供することが可能となる。
【００４７】
（実施の形態２）
次に、実施の形態２について説明する。この実施の形態においては、「気流発生手段」が「ポンプ」である場合について説明する。実施の形態２の構成は、特記する場合を除いて実施の形態１の構成と略同一であり、実施の形態１の構成と略同一の構成についてはこの実施の形態１で用いたのと同一の符号を必要に応じて付して、その説明を省略する。
【００４８】
（構成）
まず、本実施の形態に係る感知器の構成について説明する。図６は、本実施の形態に係る感知器の断面図である。なお、図６のポンプ９については、説明の便宜上、簡略的に矩形にて図示されている（図７も同様とする）。図６の感知器１００Ａは、実施の形態１の図４の感知器１００において、冷却体８の代わりにポンプ９を設けたものである。
【００４９】
図６の感知器１００Ａは、例えば、取付ベース１、裏板２、筐体３、検出空間４、支持部５、防虫網６、回路部７、及びポンプ９を備える。
【００５０】
（構成−ポンプ）
ポンプ９は、気流発生手段であり、具体的には、筐体３の外部から筐体３の内部の検出空間４に向かう気流を発生するものである。このポンプ９の具体的な種類や構成は任意であるが、例えば、公知のマイクロポンプを含む任意のポンプを用いることもできるが、ここでは、例えば、少なくとも不図示のダイヤフラムと不図示の圧電素子と不図示のポンプ筐体とを備えるマイクロポンプを用いる場合について説明する。なお、ダイヤフラムは、圧電素子の振動によって当該圧電素子と共に振動する振動手段であり、また、圧電素子は、交流電圧が印加された場合に振動する振動手段であり、例えば、ダイヤフラムに固定されているものであり、また、ポンプ筐体は、これらの圧電素子及びダイヤフラムを収容する収容手段であり、例えば、一つの方向（ここでは、図６の下側（−Ｚ方向）から上側（＋Ｚ方向）へ向かう方向）への気流を発生するための手段（例えば、逆止弁等）を備えているものである。
【００５１】
（動作）
次に、このように構成された感知器１００Ａの動作について説明する。具体的には、ポンプ９の動作について説明する。例えば、感知器１００Ａの電源をオンした場合に、ポンプ９の不図示の圧電素子に交流電圧が供給されて、当該圧電素子及び不図示のダイヤフラムが振動を開始するものとして、感知器１００Ａの動作について説明する。
【００５２】
例えば、感知器１００Ａの電源をオンした場合に、圧電素子及びダイヤフラムの振動が開始し、この振動により、検出空間４において、下側（−Ｚ方向）から上側（＋Ｚ方向）に向かう気流が発生することになる。
【００５３】
この後、例えば、感知器１００Ａの電源をオフして、ポンプ９の圧電素子への交流電圧の供給が停止された場合、圧電素子及びダイヤフラムの振動が停止し、前述の気流の発生が終了することになる。
【００５４】
（気体の誘導）
次に、このように構成された、感知器１００Ａにおける気体の誘導について説明する。図７は、図６において気流を例示した図である。感知器１００Ａは、筐体３の外部のあらゆる方向からの気体を、高さ方向（Ｚ方向）において、下側（−Ｚ方向）から検出空間４に流入させた後に、上側（＋Ｚ方向）から流出させるように誘導することができるが、ここでは、例えば、図７の矢印Ａｆ２に沿って誘導する場合について説明する。また、感知器１００Ａの電源をオンすることにより、ポンプ９の圧電素子及びダイヤフラムが振動を開始した後の、気体の誘導について説明する。
【００５５】
監視領域で火災が発生した場合、当該火災に基づく熱気流によって、図７の感知器１００Ａの外部の気体（煙を含む気体）は、矢印Ａｆ２が示すように、設置面９００に沿って（あるいは、設置面９００と平行に）感知器１００Ａに向かって移動した後、実施の形態１の場合と同様に、流入側流路Ｆ２、筐体側流入開口３１１、及び流入側防虫網６１の小孔を介して、検出空間４に誘導される。特に、この場合、ポンプ９の動作によって、検出空間４において下側（−Ｚ方向）から上側（＋Ｚ方向）に向かう気流が発生しているので、誘導気体の検出空間４への流入が促進されることになる。
【００５６】
この後、検出空間４に誘導された気体は、矢印Ａｆ２に示すように、感知器１００Ａの外部に誘導される。
【００５７】
（実施の形態２の効果）
このように本実施の形態によれば、気流を発生するためのポンプ９を備えることにより、例えば、筐体３の外部から筐体３の内部の検出空間４に向かう気流を確実に発生させることができる。また、例えば、羽根を回転させて空気を送るファンであって、羽根の回転開始時に比較的大量の電力を消費するファンとは異なり、比較的少量の電力にてポンプ９を起動することが可能であるので、感知器１００Ａの消費電力を低減することができる。
【００５８】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５９】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００６０】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００６１】
（検出空間について）
また、実施の形態１では、図４の検出空間４が、取付面１１に沿う方向（ＸＹ平面に平行な方向）において、筐体３の略中央側に設けられている場合について説明したが、これに限らない。例えば、検出空間４を、取付面１１に沿う方向（ＸＹ平面に平行な方向）において、筐体３の端側に設けてもよい。ここで、「取付面１１に沿う方向（ＸＹ平面に平行な方向）において、筐体３の端側」とは、筐体３の内部の位置であり、具体的には、前述の「取付面１１に沿う方向（ＸＹ平面に平行な方向）において、筐体３の略中央側」以外の位置であって、取付面１１に沿う方向における筐体３の中心を基準に、取付面１１に沿う方向における所定半径（例えば、取付面１１に沿う方向における筐体３の幅の６分の１〜８分の１等）よりも離れた位置に対応する概念である。より詳細には、検出空間４を図４において図面左側のみに設けたり、図面右側のみに設けたり、あるいは、図面左側及び図面右側の両方に合計２個設けてもよい。この場合、検出空間４以外の要素についても、適宜位置を変更してもよい。そして、検出空間４を図４において、図面左側のみに設けた場合、あるいは、図面右側のみに設けた場合、検出空間４が、取付面１１に沿う方向において、筐体３の端側に設けられていることにより、例えば、筐体３の内部における部品の実装スペースを一か所にまとめることができるので、比較的広い実装スペースを確保することができ、部品の実装性に優れた感知器１００を提供することができる。
【００６２】
（裏板及び取付ベースについて）
また、実施の形態１の図４の裏板２を、設置面９００に直接取り付けられるよう構成した上で、取付ベース１を省略してもよい。この場合、裏板２における上側（＋Ｚ方向）の面が「取付面」に相当する。また、実施の形態１の図４の取付ベース１を省略せずに、裏板２を省略した上で、取付ベース１を筐体３に対してスペーサ２１を挟んで固定してもよい。
【００６３】
（筐体の内部構成について）
また、実施の形態１の図４の各支持部５の内径を任意に変更した上で、筐体側流入開口３１１、基板側流出開口７１１、又は筐体側流出開口３１２の位置又は大きさを任意に変更してもよい。具体的には、筐体側流入開口３１１、基板側流出開口７１１、及び筐体側流出開口３１２が、高さ方向（Ｚ方向）において一直線に並ばないように配置してもよい。
【００６４】
（感知器の取り付けについて）
また、実施の形態１では、図４の感知器１００を監視領域の天井である設置面９００に取り付けて用いる場合について説明したが、これに限らない。例えば、感知器１００を監視領域の壁に取り付けて用いてもよい。
【００６５】
（公知の構成の適用について）
また、実施の形態１の図４の感知器１００について、公知の感知器の構成を含むように改造等行ってもよい。例えば、感知器１００が不図示の防災受信機との間で無線通信を行うための改造、あるいは、感知器１００に電池を設けて当該電池の電力を用いて感知器１００が動作するための改造等を含む任意の改造を行ってもよい。
【００６６】
（冷却体について）
また、実施の形態１の図４の検出空間４に温度センサを設けて、回路基板７１の不図示の制御部が、温度センサの検出結果を参照して、検出空間４の温度が所定の温度となるように冷却体８を制御してもよい。ここで、「所定の温度」とは、予め定められた温度であり、具体的には、検出空間４への空気の流入を促進するのに効果的な温度であり、例えば、実験又はシミュレーション等によって求めた温度を用いることができる。
【００６７】
（ポンプについて）
また、実施の形態２の図６のポンプ９の不図示の圧電素子を、感知器１００Ａの不図示のスピーカ用としても機能する、ポンプ９及びサウンダ（警報音出力手段）に兼用としてもよい。具体的には、感知器１００Ａが火災の発生を検出した場合に、圧電素子の振動に基づく警報音が出力されるように構成してもよい。例えば、感知器１００Ａを遮音性に優れた部材にて形成し、音出力開口を感知器１００Ａに設けた上で、感知器１００Ａが火災の発生を検出していない場合に、回路基板７１の不図示の制御部が、音出力開口を閉じて常時発音しているサウンダの音を遮音し、感知器１００Ａが火災の発生を検出した場合に、回路基板７１の不図示の制御部が、音出力開口を閉じて常時発音しているサウンダの音を外部に出力して警報を行ってもよい。
【００６８】
（冷却体及びポンプの位置及び個数）
実施の形態１の冷却体８及び実施の形態２のポンプ９については、検出空間４への気体の流入を促進できる限りにおいて、検出空間４の任意の位置に任意の個数設けてもよい。
【００６９】
（特徴について）
また、実施の形態１及び２の特徴及び変形例の特徴を任意に組合わせてもよい。具体的には、実施の形態１及び２の特徴を組み合わせて、冷却体８及びポンプ９の両方を備える感知器を構成してもよい。また、実施の形態１又は２の特徴、あるいは、変形例の特徴を従来の感知器（例えば、特許文献１参照）に適用してもよい。
【００７０】
（付記）
付記１の感知器は、検出対象が流入する検出空間と、前記検出空間に流入した前記検出対象を検出する検出手段と、前記検出手段及び前記検出空間を収容する収容手段と、前記収容手段の内部に設けられているものであって、前記検出対象の前記検出空間への流入を促進するべく、前記収容手段の外部から前記収容手段の内部の前記検出空間に向かう気流を発生する気流発生手段と、を備える
【００７１】
付記２の感知器は、付記１に記載の感知器において、前記気流発生手段は、前記気流を発生するためのポンプを備える。
【００７２】
付記３の感知器は、付記１又は２に記載の感知器において、前記気流発生手段は、前記気流を発生するために前記収容手段の内部を冷却する冷却体を備える。
【００７３】
（付記の効果）
付記１に記載の感知器によれば、収容手段の外部から収容手段の内部の検出空間に向かう気流を発生することにより、例えば、検出空間への検出対象の流入を促進することができるので、火災を迅速に判定することが可能な感知器を提供することができる。
【００７４】
付記２に記載の感知器によれば、気流を発生するためのポンプを備えることにより、例えば、収容手段の外部から収容手段の内部の検出空間に向かう気流を確実に発生させることができる。また、例えば、羽根を回転させて空気を送るファンであって、羽根の回転開始時に比較的大量の電力を消費するファンとは異なり、比較的少量の電力にてポンプを起動することが可能であるので、感知器の消費電力を低減することができる。
【００７５】
付記３に記載の感知器によれば、気流を発生するために冷却する冷却体を備えることにより、収容手段の外部から収容手段の内部の検出空間に向かう気流を確実に発生させることができる。また、例えば、羽根を回転させて空気を送るファンであって、羽根の回転開始時に比較的大量の電力を消費するファンとは異なり、比較的少量の電力にて冷却体による冷却を開始することが可能であるので、感知器の消費電力を低減することができる。また、気流発生のために駆動系（例えば、ファンにおける羽根等）が不要となるので、静音性に優れた感知器を提供することが可能となる。
【符号の説明】
【００７６】
１  取付ベース
２  裏板
３  筐体
４  検出空間
５  支持部
６  防虫網
７  回路部
８  冷却体
９  ポンプ
１１  取付面
２１  スペーサ
３１  本体部
３２  遮光部
３３  リブ
５１  基板支持部
５２  素子支持部
６１  流入側防虫網
６２  流出側防虫網
７１  回路基板
７２  発光部
７３  受光部
１００  感知器
１００Ａ  感知器
３１１  筐体側流入開口
３１２  筐体側流出開口
３１３  傾斜面
３２１  対向面
７１１  基板側流出開口
８１１  冷却体側流出開口
９００  設置面
Ａｆ１  矢印
Ａｆ２  矢印
Ｆ１  外部流出側流路
Ｆ２  流入側流路
Ｆ３  内部流出側流路
【図１】
2020177441.tif 000003
【図２】
2020177441.tif 000004
【図３】
2020177441.tif 000005
【図４】
2020177441.tif 000006
【図５】
2020177441.tif 000007
【図６】
2020177441.tif 000008
【図７】
2020177441.tif 000009